(57)【特許請求の範囲】
【請求項１】
ストロボ発光器と、
フイルム感度、絞り値、撮影距離、前記ストロボ発光器の発光量であるフル発光ガイドナンバーの各種情報を検出する検出部と、
前記ストロボ発光器の発光量を制御する制御部と、
前記各種情報に応じたストロボ発光器の発光量を演算する演算部と、を有し、
前記演算部は、求めた発光量が前記フル発光ガイドナンバー１回の発光量では光量が不足する場合には、適正露光量を得るための繰り返し発光回数を求め、
前記制御部は、前記繰り返し発光回数の整数部に相当する回数のフル発光と、小数部に相当する発光量での１回の発光を行なうことを特徴とするカメラ。
【請求項２】
前記演算部が求める発光回数は、前記各種条件に応じて求めたストロボ発光光量のガイドナンバーをＬ１、フル発光時のストロボ発光光量のガイドナンバーをＬ２としたとき、
発光回数＝２＾（（ＬＮ（Ｌ１／Ｌ２））／（ＬＮ（ＳＱＲ（２））））
の式によって発光回数を求めることを特徴とする請求項１記載のカメラ。
【請求項３】
前記演算部が求めた発光回数を表示する表示部を有することを特徴とする請求項１または２記載のカメラ。
【請求項４】
前記制御部は、適正露光量となる発光回数までストロボ発光器のメインコンデンサの充電と発光とを繰り返すと共に、１回の発光ごとに同期させてシャッターを開閉させる多重露光モードで撮影を行なうことを特徴とする請求項１乃至３のいずれかに記載のカメラ。
【請求項５】
前記制御部は、適正露光量となる発光回数までストロボ発光器のメインコンデンサの充電と発光とを繰り返すと共に、シャッターを開いたままのバルブモードで撮影を行なうことを特徴とする請求項１乃至３のいずれかに記載のカメラ。
【請求項６】
前記制御部は、前記バルブモードで撮影を行なわせると共に、適正露光量となる発光回数に達した場合、シャッター閉による露光中断を行なうことを特徴とする請求項５記載のカメラ。
【請求項７】
前記検出部は、メインコンデンサの端子電圧が所定の電圧に達するまでの充電時間をさらに検出し、
ストロボの発光回数が規定の回数を超える場合または露光時間が規定値を超える場合に警告を行なう警告手段を有することを特徴とする請求項１乃至３のいずれかに記載のカメラ。
【発明の詳細な説明】
【０００１】
【発明の属する技術分野】
本発明は、ストロボ発光器を有し、カメラのシャッターの開閉動作に同期してストロボ発光器が発光し被写体を照明するカメラに関するもので、特に、１回の撮影中に複数回の発光を可能にして光量不足を補うことができるカメラに関する。
【０００２】
【従来の技術】
カメラに装着されまたは組み込まれているストロボ発光器は、主として被写体の輝度が低く露光不足になる場合に、照明光を発してこれを補助光として被写体に照射し、露光不足を補うために用いられる。ただし、ストロボ発光器からの光量が多すぎると露光過多となるので、従来のカメラは、撮影条件によってストロボ発光器の発光量を制御し適正露光量を得るようになっている。一般的には、適正露光量に達した時点で発光を停止させるようになっている。
【０００３】
【発明が解決しようとする課題】
従来のストロボ発光器を有するカメラは、１回の発光によって適正露光が得られるような撮影条件のもとでは有効なものであった。しかしながら、撮影条件によっては、１回の発光のみでは適正露光に必要な光量に達しないことがある。例えば、被写体距離が遠い場合、ストロボ発光器のガイドナンバーが小さい場合、絞り値を小さくして撮影したい場合には、ストロボを用いて同期発光撮影しても露光不足になりがちである。
【０００４】
本発明は以上のような従来技術の問題点を解消するためになされたもので、撮影条件によっては、１回の発光のみでは適正露光に必要な光量に達しない場合、すなわち従来のストロボ発光器を有するカメラでは撮影不可能な条件下においても、ストロボ発光器を複数回発光させることにより光量不足を補うようにして撮影を可能にしたカメラを提供することを目的とする。
【０００５】
本発明はまた、ストロボ発光器を複数回発光させることにより光量不足を補うものにおいて、ストロボの発光回数が規定回数を超える場合、あるいは露光時間が規定値を超える場合など、撮影条件があまりにも悪い場合には警告を出すようにして、撮影の中止を促すようにしたカメラを提供することを目的とする。
【０００６】
【課題を解決するための手段】
請求項１記載の発明は、ストロボ発光器と、フイルム感度、絞り値、撮影距離、前記ストロボ発光器の発光量であるフル発光ガイドナンバーの各種情報を検出する検出部と、前記ストロボ発光器の発光量を制御する制御部と、前記各種情報に応じたストロボ発光器の発光量を演算する演算部と、を有し、前記演算部は、求めた発光量が前記フル発光ガイドナンバー１回の発光量では光量が不足する場合には、適正露光量を得るための繰り返し発光回数を求め、前記制御部は、前記繰り返し発光回数の整数部に相当する回数のフル発光と、小数部に相当する発光量での１回の発光を行なうことを特徴とする。
【０００７】
請求項２記載の発明は、請求項１記載の発明において、前記演算部が求める発光回数は、前記各種条件に応じて求めたストロボ発光光量のガイドナンバーをＬ１、フル発光時のストロボ発光光量のガイドナンバーをＬ２としたとき、
発光回数＝２＾（（ＬＮ（Ｌ１／Ｌ２））／（ＬＮ（ＳＱＲ（２））））
の式によって発光回数を求めることを特徴とする。
請求項３記載の発明は、請求項１または２記載の発明において、前記演算部が求めた発光回数を表示する表示部を有することを特徴とする。
【０００８】
請求項４記載の発明は、請求項１乃至３のいずれかに記載の発明において、前記制御部は、適正露光量となる発光回数までストロボ発光器のメインコンデンサの充電と発光とを繰り返すと共に、１回の発光ごとに同期させてシャッターを開閉させる多重露光モードで撮影を行なうことを特徴とする。
【０００９】
請求項５記載の発明は、請求項１乃至３のいずれかに記載の発明において、前記制御部は、適正露光量となる発光回数までストロボ発光器のメインコンデンサの充電と発光とを繰り返すと共に、シャッターを開いたままのバルブモードで撮影を行なうことを特徴とする。
請求項６記載の発明は、請求項５記載の発明において、前記制御部は、前記バルブモードで撮影を行なわせると共に、適正露光量となる発光回数に達した場合、シャッター閉による露光中断を行なうことを特徴とする。
【００１０】
請求項７記載の発明は、請求項１乃至３のいずれかに記載の発明において、前記検出部は、メインコンデンサの端子電圧が所定の電圧に達するまでの充電時間をさらに検出し、ストロボの発光回数が規定の回数を超える場合または露光時間が規定値を超える場合に警告を行なう警告手段を有することを特徴とする。
【００１１】
【発明の実施の形態】
以下、図面を参照しながら本発明にかかるカメラの実施の形態について説明する。
図１は、一つのカメラ内における電気的な信号系統の例を示している。この信号系統は、大きく分けて入力部１、各種情報の検出部２、演算部３、カメラ制御部４、出力部５、表示器６、多重発光回数の制限情報入力部７からなる。
【００１２】
上記入力部１は、フイルム情報の入力部１１、オート・フォーカス（ＡＦ）・ユニット１２、測光ユニット１３を有してなる。フイルム情報の入力部１１は、主にフイルム感度を入力する部分で、一般的にはフイルムパトローネに設けてあるコードを検出して自動的に入力するようになっている。もちろん、カメラユーザーがフイルム感度を確認して手動的にフイルム感度を設定することにより入力されるようにしたものでもよい。オート・フォーカス・ユニット１２からは、同ユニットにおいて測定された撮影距離情報（被写体距離情報）が入力される。上記測光ユニット１３からは、同ユニットにおいて測定された被写体輝度情報が入力される。
【００１３】
前記各種情報の検出部２は、上記入力部１からの各種情報およびカメラ各部からの各種情報を検出して適宜変換し演算部３に入力する部分である。各種情報は、撮影情報とストロボ情報に分けることができる。撮影情報としては、フイルム感度（例えばＩＳＯで表示される）、絞り値、撮影距離、シャッタースピードなどの情報がある。ストロボ情報としては、ストロボ発光器の発光量を表すガイドナンバー、メインコンデンサの端子電圧が所定の電圧に達するまでの充電時間などの情報がある。これらの情報は全て撮影条件に関する情報である。
【００１４】
前記演算部３は、上記検出部２から入力される各種情報すなわち撮影条件に関する情報を読み込み、撮影条件に応じたストロボ発光器の発光量を演算する。また、演算の結果、１回の発光量では光量が不足する場合に、適正露光量を得るのに必要なストロボ発光器の発光回数を演算する。
【００１５】
前記カメラ制御部４は、演算部３の演算結果に基づいてカメラ各部およびストロボ発光器の動作を制御する部分である。カメラ制御部４は、演算部３における演算の結果、ストロボ発光器の発光回数が１回以下の場合は通常撮影制御モードを選択し、ストロボ発光器の発光回数が１回以上の場合はストロボ発光器による多重発光撮影モードを選択し、選択された撮影モードで各部を制御するようになっている。
【００１６】
前記出力部５は上記カメラ制御部４によって動作を制御される部分で、シャッター５１、絞り５２、ストロボ発光器５３を有してなる。カメラ制御部４は、ストロボ発光器５３を用いて撮影する場合、シャッター５１が開くタイミングとストロボ発光器５３の発光タイミングとが所定のタイミングで同期するようにタイミングを制御するとともに、シャッター速度が同期発光撮影に適した速度になるようにシャッター５１を制御する。また、そのときの絞り値が所定の絞り値になるように制御する。
【００１７】
演算部３が各種撮影条件から演算した結果、ストロボ発光器５３の１回の発光では適正露光が得られない場合には、カメラ制御部４は多重発光撮影モードにし、適正露光となるまでストロボ発光器５３を複数回発光させて露光を行なう。このとき、シャッター５１は、ストロボ発光器５３の１回の発光ごとに開閉動作を行なわせて、いわゆる多重露光による撮影を行なってもよいし、バルブモードに切り替え、ストロボ発光器５３が複数回発光している間中開いておき、適正露光となって露光が終了した時点で閉じるようにしてもよい。バルブモードで複数回発光による露光をしている間はフイルムが巻き上げられないことは当然として、ストロボ発光器５３の１回の発光ごとにシャッターを開閉動作させるいわゆる多重露光の場合も、フイルムの巻き上げは行なわない。
【００１８】
前記多重発光回数の制限情報入力部７は、ストロボ発光器を複数回発光させて撮影する場合の発光回数を予め入力しておき、その回数を超える場合は警告を発して撮影中止を促すためのものである。必要な発光回数がある回数以上になると撮影条件があまりにも悪すぎて良好な撮影画像を得ることができないため、このような場合には警告を発する。この警告によってカメラユーザーが撮影をあきらめれば、フイルムの無駄使いを防止することができる。あるいは、上記警告に代えて、または警告とともに、シャッターのレリーズ禁止処理を行なって、不用意な長時間露光になることを防止するようにしてもよい。上記の警告は、現実の発光回数が多重発光回数の制限情報入力部７から入力される発光回数を超えたとき、カメラ制御部４が表示器６を駆動してその旨を表示させる。
【００１９】
多重発光撮影時の警告は、上記のように多重発光回数が規定値以上になった場合に代えて、あるいはこの場合と併せて、露光時間が規定値を超える場合に行なうようにしてもよい。露光時間があまりにも長いと、被写体が動いたり、カメラが揺れたりして鮮明な画像を得ることができないからである。
【００２０】
多重発光撮影時の警告は、ストロボ発光器のメインコンデンサの充電時間が規定値を超える場合にも行なうようにしてもよい。メインコンデンサの充電時間が規定値を超えるということは電源電池が消耗しているということであり、それ以上充電に時間をかけても、メインコンデンサの端子電圧が所定の電圧に達するという保証はなく、あるいは、規定の時間内に適正露光を得るに必要な発光回数に達する保証もないからである。
【００２１】
前記表示器６は、演算部３において演算された、適正露光を得るためのストロボ発光器の発光回数を表示する。表示器６はまた、上記のようにストロボ発光器の発光回数が規定値を超える場合、露光時間が規定値を超える場合、ストロボ発光器のメインコンデンサの充電時間が規定値を超える場合に、警告を表示する。これらの表示は、視覚的なものであってもよいし音による表示であってもよい。
【００２２】
次に、演算部３における演算の例を説明する。演算部３は、撮影条件から求めたストロボ発光光量Ｌ１と、予め設定されている、あるいは予めわかっているストロボ発光光量Ｌ２から、光量不足を補うために必要なストロボ発光回数を、次の式を演算することによって求める。
発光回数＝２＾（（ＬＮ（Ｌ１／Ｌ２））／（ＬＮ（ＳＱＲ（２））））
上記の式によって求められる数値の整数部分がフルに発光する回数で、小数部分が発光光量の制御を必要とする最後の発光でありかつ制御すべき発光光量を表している。
【００２３】
例えば、撮影条件から求めたストロボ発光光量Ｌ１すなわち必要とするガイドナンバーが「２２」、ストロボ発光器のガイドナンバーが「９」、フイルム感度がＩＳＯ：１００とすると、
発光回数＝２＾２．５８
＝６．８７
となる。これは、フル発光６回と、これに加えた発光量０．８７の発光が必要になることを意味している。ＬＮ０．８７／ＬＮ２＝−０．２０で、ガイドナンバー「９」に対して、−０．２０ＥＶの発光ガイドナンバーは「８．４」、つまり、ガイドナンバー「９」の発光６回と、ガイドナンバー「８．４」の発光１回で、計７回の発光が必要になる。このとき、表示器６は発光回数として「７」を表示する。なお、表示器６によるこのときの表示は、ＬＥＤ、ＬＣＤなどによって行なわれる。
【００２４】
表示器６による表示は、ストロボ発光器のメインコンデンサの充電時間を加えた、全撮影時間であってもよい。例えば、メインコンデンサの充電時間を３秒とすると、初回の発光に必要な充電は完了しているものとして、
（７−１）×３＝１８（秒）
となるので、全撮影時間として「１８」を表示する。
【００２５】
図１に示すカメラ制御部４は、シャッターが開いている状態で適正露光量に達した場合、すなわち、上記の例で最終回の発光時において適正露光量に達した場合は、ストロボ発光器の発光停止とシャッター閉による露光中断とを行なわせる。ストロボ発光器の発光停止によって適正露光を得ることができ、シャッター閉による露光中断によって、周辺光の無駄な写り込みによって露光過多になることを防止することができる。
【００２６】
ストロボ発光器の多重発光によって露光を行なう場合、シャッターは前述のようにバルブモードであってもよいし、１回の発光ごとに同期させて開閉してもよい。
１回の発光ごとに同期させてシャッターを開閉させる、いわゆる多重露光を行なうと、シャッターの開閉動作による機械的な振れや振動が発生して撮影画像の性能に悪影響を及ぼすおそれがある反面、１回発光した後、次回の発光のためにメインコンデンサを充電している間に、周辺光による不要な露光を軽減することができる利点がある。
一方、バルブモードの場合は、メインコンデンサの充電中に周辺光による不要な露光が行なわれる場合がある反面、シャッターの頻繁な開閉動作がないため、機械的な振れや振動の発生がなく、撮影画像の性能に悪影響を及ぼすおそれはないという利点がある。多重露光モードにするかまたはバルブモードにするかは、カメラの設計者側でどちらか一方に決めてもよいし、カメラユーザーが選択できるようにしてもよい。
【００２７】
ストロボ発光器の多重発光によって撮影を行なう場合において、ストロボ発光器が複数回発光し、シャッターが開いている時間が適正露光時間よりも長くなる場合は、適正露光時間経過時にストロボ発光による露光を中断して、露出オーバーとなることを防止する。例えば、適正露光時間が１０秒であれば、バルブ撮影モードでは１０秒間シャッターを開き、その間ストロボ発光器は４回発光させて中断するものとすれば、多重露光撮影では発光回数７回で撮影完了となる。
【００２８】
【発明の効果】
従来のストロボ発光器を有するカメラでは、メインコンデンサがフルに充電されていてフルに発光された場合に適正露光が得られる撮影距離よりも近距離であれば、発光の制御によって適正露光を得ることができる。しかし、ストロボ発光器の１回の発光によって撮影を行っているため、フル発光によって適正露光が得られる撮影距離よりも遠くなると適正露光が得られず、撮影を断念せざるを得なかった。
これに対して本願請求項１および２記載の発明によれば、ストロボ発光器による多重発光を可能にしたため、従来撮影を断念していた撮影距離においても適正露光で撮影することが可能となった。
【００２９】
請求項３記載の発明によれば、適正露光を得るためのストロボ発光器の発光回数が演算されてその結果が表示部に表示されるため、カメラユーザーは、通常のストロボ発光器を用いた撮影と、多重発光撮影とを判別することができるとともに、多重発光撮影の場合の発光回数を認識することができる。
【００３０】
請求項４記載の発明によれば、適正露光となるまでシャッター開閉とこれに同期したストロボ発光器の発光とが繰り返されることにより多重露光が行なわれるため、多重露光によって適正な露光量で撮影することができるとともに、不要な露光を軽減することができる。
【００３１】
請求項５記載の発明によれば、シャッターの動作モードをバルブモードして適正露光となるまで多重発光させるため、シャッターの頻繁な開閉動作がないため、機械的な振れや振動の発生がなく、撮影画像の性能に悪影響を及ぼすおそれはない。
【００３２】
請求項６記載の発明によれば、適正露光量に達した場合、発光停止とシャッター閉による露光中断とを行なわせるため、自然光によって露光オーバーになることを防止することができる。
【００３３】
請求項７記載の発明によれば、多重発光撮影が長時間になりすぎることを防止することができる。
【図面の簡単な説明】
【図１】  本発明にかかるカメラの実施の形態を示すブロック図である。
【符号の説明】
３  演算部
４  制御部
６  表示部
５３  ストロボ発光器
【図１】
0004311517.tif 000002